(57)【要約】【課題】簡易な操作で直感的に音声データの編集を行い得る音声データ編集装置を実現する。【解決手段】トラック表示子表示領域の第１の座標軸におけるトラック番号に対応する位置に、第２の座標軸におけるトラックの開始時間から終了時間に対応する範囲でトラック表示子を表示するようにしたことにより、トラック表示子の位置関係及び長さを通じて、各トラックの順序及び演奏時間をユーザに対し直感的に通知することができる。また、トラック表示子に対する第１の座標軸方向の移動操作に応じて、当該トラック表示子に対応するトラックのトラック番号を変更するとともにトラックの順序を変更し、さらにトラック表示子を当該変更されたトラック番号及び順序に応じた位置に移動して表示するようにしたことにより、ユーザに対し、直感的な操作で容易にトラックの順序を変更させることができる。【選択図】        図１２
2004318964.tif 000002
【特許請求の範囲】
【請求項１】
編集対象の音声データを複数のトラックに分割するための音声データ編集装置において、
上記トラックを示すトラック表示子を表示するための領域でなり、第１の座標軸が上記トラックのトラック番号に対応し、当該第１の座標軸に直交する第２の座標軸が上記音声データの時間軸に対応するトラック表示子表示領域を表示する表示領域表示手段と、
上記トラックに対応する上記トラック表示子を、上記トラック表示子表示領域の上記第１の座標軸における当該トラックのトラック番号に対応する位置に、上記第２の座標軸における当該トラックの開始時間から終了時間に対応する範囲で表示するトラック表示子表示手段と
を具えることを特徴とする音声データ編集装置。
【請求項２】
上記トラック表示子表示手段は、上記トラック表示子に対する上記第１の座標軸方向の移動操作に応じて、当該トラック表示子に対応する上記トラックの上記トラック番号を変更するとともに上記トラックの順序を変更し、さらに上記トラック表示子を当該変更されたトラック番号及び順序に応じた位置に移動して表示する
ことを特徴とする請求項１に記載の音声データ編集装置。
【請求項３】
上記トラック表示子表示手段は、上記トラック表示子を、当該トラック表示子に対応する上記トラックそれぞれに施された音声処理に応じて異なる表示色で表示する
ことを特徴とする請求項１に記載の音声データ編集装置。
【請求項４】
上記トラック表示子表示手段は、上記トラック表示子の端部に対する上記第２の座標軸方向の移動操作に応じて、当該トラック表示子に対応する上記トラック及びその前のトラックに対するクロスフェード処理の実行又はその解除を行う
ことを特徴とする請求項１に記載の音声データ編集装置。
【請求項５】
編集対象の音声データを複数のトラックに分割するための音声データ編集方法において、
上記トラックを示すトラック表示子を表示するための領域でなり、第１の座標軸が上記トラックのトラック番号に対応し、当該第１の座標軸に直交する第２の座標軸が上記音声データの時間軸に対応するトラック表示子表示領域を表示する表示領域表示ステップと、
上記トラックに対応する上記トラック表示子を、上記トラック表示子表示領域の上記第１の座標軸における当該トラックのトラック番号に対応する位置に、上記第２の座標軸における当該トラックの開始時間から終了時間に対応する範囲で表示するトラック表示子表示ステップと
を具えることを特徴とする音声データ編集方法。
【請求項６】
上記トラック表示子に対する上記第１の座標軸方向の移動操作に応じて、当該トラック表示子に対応する上記トラックの上記トラック番号を変更するとともに上記トラックの順序を変更し、さらに上記トラック表示子を当該変更されたトラック番号及び順序に応じた位置に移動して表示するステップ
を具えることを特徴とする請求項５に記載の音声データ編集方法。
【請求項７】
上記トラック表示子表示ステップは、上記トラック表示子を、当該トラック表示子に対応する上記トラックそれぞれに施された音声処理に応じて異なる表示色で表示する
ことを特徴とする請求項５に記載の音声データ編集方法。
【請求項８】
上記トラック表示子の端部に対する上記第２の座標軸方向の移動操作に応じて、当該トラック表示子に対応する上記トラック及びその前のトラックに対するクロスフェード処理の実行又はその解除を行うクロスフェード処理ステップ
を具えることを特徴とする請求項５に記載の音声データ編集方法。
【請求項９】
編集対象の音声データを複数のトラックに分割するための音声データ編集プログラムにおいて、
上記トラックを示すトラック表示子を表示するための領域でなり、第１の座標軸が上記トラックのトラック番号に対応し、当該第１の座標軸に直交する第２の座標軸が上記音声データの時間軸に対応するトラック表示子表示領域を表示する表示領域表示ステップと、
上記トラックに対応する上記トラック表示子を、上記トラック表示子表示領域の上記第１の座標軸における当該トラックのトラック番号に対応する位置に、上記第２の座標軸における当該トラックの開始時間から終了時間に対応する範囲で表示するトラック表示子表示ステップと
をコンピュータに実行させることを特徴とする音声データ編集プログラム。
【発明の詳細な説明】
【０００１】
【発明の属する技術分野】
本発明は音声データ編集装置に関し、例えばパーソナルコンピュータを用いて音楽データを複数のトラックに分割する場合に適用して好適なものである。
【０００２】
【従来の技術】
従来、パーソナルコンピュータにおいては、アナログオーディオ機器から供給される録音対象のアナログ音声信号を、外付けのオーディオデバイスもしくは内蔵されたサウンドカードを介してディジタル変換することにより音声データを生成し、当該生成した音声データを内部のハードディスク等に記録するようになされたものがある（例えば、非特許文献１参照）。
【０００３】
【非特許文献１】
ｈｔｔｐ：／／ｗｗｗ．Ｊａｐａｎ．ｓｔｅｉｎｂｅｒｇ．ｎｅｔ／ｐｒｏｄｕｃｔｓ／ｃｌｅａｎ４／ｉｍｇ／ｅｘａｍｐｌｅ．ｊｐｇ
【０００４】
【発明が解決しようとする課題】
かかる構成のパーソナルコンピュータにおいては、記録した音声データに対し、ユーザが例えば曲単位等の任意のトラックに分割する編集操作を行い得るようになされている。
【０００５】
この場合パーソナルコンピュータにおいては、録音した音声データの波形を所定の録音編集画面上に表示する。ユーザは録音した音声データを再生しながら、録音編集画面上で当該音声データの波形の任意の位置をマウス等で指定することにより、トラックの分割点をパーソナルコンピュータに入力するようになされている。
【０００６】
さらにパーソナルコンピュータにおいては、分割後の各トラックのトラック番号や演奏時間等の各種情報を、録音編集画面上のトラックリストに表示するようになされている。
【０００７】
ところがかかる構成のパーソナルコンピュータにおける録音編集画面では、入力された分割点に応じて、単に音声データの波形に分割点のアイコンが付されるのみであり、トラックの分割状態や個々のトラックの時間長、各トラック相互の順序関係等をユーザに対して直感的に表示し得ないという問題があった。
【０００８】
またかかる構成のパーソナルコンピュータにおける録音編集画面では、音声データの波形上の各トラックと、トラックリストに表示された各トラックの各種情報との関連を、ユーザに対して直感的に表示し得ないという問題があった。
【０００９】
さらにかかる構成のパーソナルコンピュータにおける録音編集画面では、トラックの順序を変更する場合にも、直感的な操作を行い得ないという問題があった。
【００１０】
本発明は以上の点を考慮してなされたもので、簡易な操作で直感的に音声データの編集を行い得る音声データ編集装置を提案しようとするものである。
【００１１】
【課題を解決するための手段】
かかる課題を解決するため本発明においては、編集対象の音声データを複数のトラックに分割するための音声データ編集装置において、トラックを示すトラック表示子を表示するための領域でなり、第１の座標軸がトラックのトラック番号に対応し、当該第１の座標軸に直交する第２の座標軸が音声データの時間軸に対応するトラック表示子表示領域を表示する表示領域表示手段と、トラックに対応するトラック表示子を、トラック表示子表示領域の第１の座標軸における当該トラックのトラック番号に対応する位置に、第２の座標軸における当該トラックの開始時間から終了時間に対応する範囲で表示するトラック表示子表示手段とを設けた。
【００１２】
これにより、トラック表示子の位置関係及び長さを通じて、各トラックの順序及び演奏時間をユーザに対し直感的に通知することができる。
【００１３】
またトラック表示子表示手段は、トラック表示子に対する第１の座標軸方向の移動操作に応じて、当該トラック表示子に対応するトラックのトラック番号を変更するとともにトラックの順序を変更し、さらにトラック表示子を当該変更されたトラック番号及び順序に応じた位置に移動して表示するようにした。
【００１４】
これにより、ユーザに対し、直感的な操作で容易にトラックの順序を変更させることができる。
【００１５】
【発明の実施の形態】
以下図面について、本発明の一実施の形態を詳述する。
【００１６】
（１）パーソナルコンピュータの全体構成
図１において、１は全体として本発明を適用した音声データ編集装置としてのパーソナルコンピュータを示し、各種情報処理を実行するパーソナルコンピュータ本体（以下、これをパソコン本体と呼ぶ）２に対して、モニタ３、キーボード４及びマウス５が接続されている。
【００１７】
またパソコン本体２には、マイクロホン６、ライン入力ケーブル７及びスピーカ８が接続されている。パソコン本体２は、マイクロホン６を介して集音したアナログ音声信号や、テープレコーダ等の外部のアナログオーディオ機器からライン入力ケーブル７を介して入力したアナログ音声信号をディジタル変換して音声データを生成（すなわち録音）する。そしてパソコン本体２はユーザ操作に応じて、録音した音声データに対し適宜分割や結合等の各種編集処理を施した後、当該音声データを音声データファイルとして、内蔵するハードディスクドライブやＣＤ−ＲＷ（Ｃｏｍｐａｃｔ  Ｄｉｓｋ−ＲｅＷｒｉｔａｂｌｅ  ）ドライブに挿入されたＣＤ−ＲＷディスク等の記録媒体に出力（すなわち記録）するとともに、記録した音声データファイルをスピーカ８を介して出力するようになされている。
【００１８】
さらにパソコン本体２には、高精度なディジタル変換処理を行うＵＳＢ（Ｕｎｉｖｅｒｓａｌ  Ｓｅｒｉａｌ  Ｂｕｓ）オーディオデバイス９がＵＳＢ接続されており、外部のアナログオーディオ機器から供給されるアナログ音声信号を当該ＵＳＢオーディオデバイス９でディジタル変換してパソコン本体２に入力することにより、より高い品質で音声データファイルを録音したり、当該録音した音声データファイルをＵＳＢオーディオデバイス９でアナログ変換することにより、当該音声データファイルをより高い品質でアナログ音声信号に復元し得るようになされている。
【００１９】
これに加えてパソコン本体２には、モデム１０がＵＳＢ接続されており、インターネット上の他のパーソナルコンピュータや各種サーバ等の情報処理装置との間でデータ通信を行い得るようになされている。
【００２０】
次に、パソコン本体２の回路構成を図２を用いて詳細に説明する。パソコン本体２においては、当該パソコン本体２を統括制御するＣＰＵ（Ｃｅｎｔｒａｌ  Ｐｒｏｃｅｓｓｉｎｇ  Ｕｎｉｔ  ）１１に対し、各種プログラムを実行するワークエリアとしてのメモリ１２、モニタ３に対する表示信号を生成するビデオインターフェース１３及びＰＣＩ（Ｐｅｒｉｐｈｅｒａｌ  Ｃｏｍｐｏｎｅｎｔ  Ｉｎｔｅｒｃｏｎｎｅｃｔ  ）ブリッジ１４が、ＣＰＵバス１５を介して接続されている。
【００２１】
またＰＣＩブリッジ１４には、ＩＤＥ（Ｉｎｔｅｇｒａｔｅｄ  Ｄｒｉｖｅ  Ｅｌｅｃｔｒｏｎｉｃｓ）インターフェース１６、オーディオインターフェース１７及びＵＳＢインターフェース１８がＰＣＩバス１５を介して接続されている。
【００２２】
ＩＤＥインターフェース１６には、ＣＰＵ１１によって実行されるオペレーティングシステムや録音編集管理プログラム等の各種アプリケーションプログラムを格納したハードディスクドライブ１９と、ＣＤ−ＲＷドライブ２０とが接続されており、ＩＤＥインターフェース１６はハードディスクドライブ１９及びＣＤ−ＲＷドライブ２０に対するアクセス制御を行う。
【００２３】
オーディオインターフェース１７には、マイクロホン６、ライン入力ケーブル７及びスピーカ８が接続されている。オーディオインターフェース１７は、マイクロホン６及びライン入力ケーブル７から入力されるアナログ音声信号をディジタル変換して音声データを生成し、これをＰＣＩバス１５に送出するとともに、当該ＰＣＩバス１５から供給される音声データをアナログ変換してアナログ音声信号を生成し、スピーカ８を介して出力する。
【００２４】
ＵＳＢインターフェース１８には、キーボード４、マウス５、ＵＳＢオーディオデバイス９及びモデム１０が接続されている。ＵＳＢインターフェース１８は、ユーザ操作に応じてキーボード４及びマウス５から供給される操作信号をＰＣＩバス１５に送出するとともに、ＵＳＢオーディオデバイス９との間のディジタル音声データの送受、及びモデム１０との間の送受信データの送受を管理する。
【００２５】
そしてＣＰＵ１１は、パソコン本体２の電源投入に応じてハードディスクドライブ１９からオペレーティングシステムを読み出し、メモリ１２に展開して実行する。そしてＣＰＵ１１はオペレーティングシステムの実行環境下において、ユーザによるキーボード４及びマウス５の操作に応じてハードディスクドライブ１９から各種アプリケーションプログラムを読み出して実行することにより、各種機能を実現するようになされている。
【００２６】
（２）録音編集管理プログラム
上述したようにこのパーソナルコンピュータ１においては、ハードディスクドライブ１９に格納された録音編集管理プログラムをＣＰＵ１１が読み出して実行することにより、音声データの録音、分割や結合、及びハードディスクドライブ１９やＣＤ−ＲＷディスクに対する音声データファイルの出力といった録音編集処理を実行するようになされている。
【００２７】
録音編集管理プログラムの構成を図３に示す。ＧＵＩ部３０は、録音編集管理プログラムの各種操作画面をモニタ３に表示するとともに、ユーザによるキーボード４及びマウス５の入力操作に応じた操作命令を生成し、録音再生制御部３１及びプロジェクト管理部３２に送出する。
【００２８】
録音再生制御部３１は、ＧＵＩ部３０から送出された操作命令に応じて音声データの録音及び再生を制御する。すなわち録音再生制御部３１は、ユーザの操作に応じてＧＵＩ部３０から録音命令が供給されると、オーディオデバイス３３（ＵＳＢオーディオデバイス９及びオーディオインターフェース１７、並びにこれらにアクセスするためのソフトウェアモジュール）から供給される音声データを受け取って音声データ管理部３４に送出する。
【００２９】
音声データ管理部３４は、ハードディスクドライブ１９に対する音声データファイルＭｆの読み書き及び曲リスト記憶部３６に対する曲情報の読み書きを管理する。すなわち音声データ管理部３４は、録音再生制御部３１から供給される音声データを音声データファイルＭｆとしてハードディスクドライブ１９に保存する。このとき音声データ管理部３４は当該音声データを複写して曲間検出部３７に送出する。
【００３０】
ノイズ除去処理部３８は曲間検出部３７から音声データを取得し、音声データに対してノイズ除去処理を施すことにより本来無音部分である箇所に含まれているノイズを除去して当該無音部分を明確にした後、曲間検出部３７に返送する。曲間検出部３７は、このノイズが除去された音声データに対し、無音部分に基づいて曲間を自動検出し、当該曲間位置を示す分割点情報をプロジェクト管理部３２に送出する。
【００３１】
プロジェクト管理部３２は、録音編集管理プログラムが取り扱うデータの集合体であるプロジェクトＰＪを管理する。このプロジェクトＰＪは、音声データファイルＭｆと、当該音声データファイルＭｆについての各種情報を記憶したプロジェクトファイルＰｆと、曲リスト記憶部３６から読み出した各曲の演奏時間やタイトル等でなる曲情報とで構成される。
【００３２】
プロジェクト管理部３２は、曲間検出部３７から供給された分割点情報に基づいて、分割点で分割された曲（すなわちトラック）それぞれの開始時間及び終了時間をプロジェクトファイルＰｆに記入する。
【００３３】
さらにＧＵＩ部３０は、ハードディスクドライブ１９に記録された音声データファイルＭｆの各トラックの波形を、モデム１０（図１）を介してインターネット上のアルバム情報検索サービス３９（例えばムードロジック（商標）等）を提供している情報提供サーバに送信する。
【００３４】
ここで情報提供サーバは、予めアルバムのタイトル及び曲数、各トラックのタイトル、演奏時間及びその波形等からなる多数のアルバム情報を保持している。アルバム情報検索サービス３９は、ＧＵＩ部３０から送信された波形を用いて当該アルバム情報を検索し、当該波形に合致するトラックのタイトル及び演奏時間をＧＵＩ部３１に返送する。
【００３５】
そしてＧＵＩ部３１は、送信した波形に応じて情報検索サービス３９から返送されたトラックのタイトル及び演奏時間をプロジェクトファイルＰｆの該当部分に記入するとともに、後述する録音編集画面６０のトラックリスト表示領域７６（図１２）にトラックのタイトル及び演奏時間を表示する。
【００３６】
図４にプロジェクトファイルＰｆの記述例を示す。プロジェクトファイルＰｆはＸＭＬ（ｅＸｔｅｎｓｉｂｌｅ  Ｍａｒｋｕｐ  Ｌａｎｇｕａｇｅ）言語を用いて記述されており、各トラックの開始時間及び終了時間（ｔｒａｃｋ  ｓｔａｒｔ  及びｅｎｄ  ）、各トラックのタイトルやアーティスト名（ｎａｍｅ、ａｒｔｉｓｔ）、当該プロジェクトファイルＰｆの参照元音声データファイルのＭｆのファイル名（ｓｏｕｎｄｆｉｌｅ  ｓｒｃ  ）等が記入される。このようなプロジェクトファイルＰｆで用いられるタグの例を図５に示す。
【００３７】
また録音再生制御部３１は、ユーザの操作に応じてＧＵＩ部３０から再生命令が供給されると、これに応じて音声データ管理部３４を制御し、音声データファイルＭｆを読み出してオーディオデバイス３３に出力する。
【００３８】
次に、上述した録音編集管理プログラムの起動から音声データの記録、編集、記録媒体に対する出力までに至る一連の処理を、図６に示すフローチャートを用いて説明する。
【００３９】
パーソナルコンピュータ１のＣＰＵ１１は、録音編集管理処理手順ＲＴ１の開始ステップから入ってステップＳＰ１に移り、図７に示すオープニング画面５０をモニタ３に表示する。
【００４０】
このオープニング画面５０の中央には、録音編集管理プログラムの一連の処理を開始させるための開始ボタン５１が表示されているとともに、その右側にはオンラインユーザーガイドを表示させるためのユーザーガイドボタン５２が表示されている。ＣＰＵ１１は、次のステップＳＰ２においてユーザによる開始ボタン５１のクリックを待ち受け、当該開始ボタン５１がクリックされたことを確認すると次のステップＳＰ３に移る。
【００４１】
ステップＳＰ３においてＣＰＵ１１は、図８に示す入力選択画面５４をモニタ３に表示する。この入力選択画面５４の中央には、ライン入力ケーブル７をアナログ音声信号の入力端子として選択するためのライン入力選択ボタン５４Ａ、マイクロホン６をアナログ音声信号の入力機器として選択するためのマイク入力選択ボタン５４Ｂ、及びＵＳＢオーディオデバイス９を入力機器として選択するためのＵＳＢオーディオデバイス選択ボタン５４Ｃの、３つの入力選択ボタン５４が表示されているとともに、その右側には、選択した入力端子又は機器を確定するための「進む」ボタン５５が表示されている。
【００４２】
ＣＰＵ１１は、次のステップＳＰ４においてユーザによる入力選択操作を待ち受け、入力選択ボタン５４Ａ〜５４Ｃのいずれかが選択された後「進む」ボタン５５がクリックされたことを確認すると、次のステップＳＰ５に移る。
【００４３】
ステップＳＰ５においてＣＰＵ１１は、図９に示す録音編集画面６０をモニタ３に表示する。この録音編集画面６０上で、ユーザは様々な録音編集操作を行うことができるようになされている。
【００４４】
録音編集画面６０の中央には、入力選択画面５４で選択された入力端子又は機器からの録音を開始するための録音開始ボタン６１が表示されている。また、録音編集画面６０の下半分を占めるパネルエリア６２には、曲間の自動検出結果に応じて曲間の位置に自動で分割点マーク（後述する）を付加する自動マーキング機能に対して有効（すなわち実行）又は無効（すなわち非実行）を選択するための自動マーキング設定パネル６３が表示されており、自動マーキングチェックボックス６４をチェックすることにより自動マーキング機能が有効となる。
【００４５】
ステップＳＰ６においてＣＰＵ１１は、ユーザによる録音開始ボタン６１のクリックを待ち受け、当該録音開始ボタン６１がクリックされたことを確認すると、次のステップＳＰ７に移る。
【００４６】
ステップＳＰ７において、分割点表示子表示手段としてのＣＰＵ１１は自動マーキング設定パネル６３を消去し、これに代えて図１０に示すようなトラックパネル７０を録音編集画面６０のパネルエリア６２に表示した後、録音を開始する。
【００４７】
トラックパネル７０の上部には、録音時間の経過に対応して録音の開始から終了まで右方向に伸びていく、棒状の録音進捗バー７１が表示される。この録音進捗バー７１は、録音中においては赤色で表示され、録音が終了すると水色で表示される。
【００４８】
録音進捗バー７１の下方には、録音した音声データを複数のトラックに分割するための分割点マーク７２を表示すべき、分割点マーク表示領域７３が設けられている。この分割点マーク７２は、自動マーキング機能が有効状態にある場合、録音編集管理プログラムによって曲間の無音部分に対して自動的に付加される。また分割点マーク７２は録音終了後にユーザが手動で付加することもできる。
【００４９】
分割点マーク表示領域７３の下方には、各トラックの演奏時間および順序を視覚的に表すトラック表示子としてのセグメント７４を表示するための、表示子表示領域としてのセグメント表示領域７５が設けられている。また、セグメント表示領域７５の左側には、各トラックのトラック番号、タイトル及び演奏時間を文字で表示するためのトラックリスト表示領域７６が設けられている。
【００５０】
このトラックリスト表示領域７６には、ＧＵＩ部３０（図３）がアルバム情報検索サービス３９から取得したトラックのタイトルが、当該トラックに対応するセグメント７４と同じ段に自動的に表示される。またトラックリスト表示領域７６においては、トラックのタイトルを手動で編集することもできる。
【００５１】
また録音進捗バー７１の下方には、当該録音進捗バー７１、分割点マーク表示領域７３及びセグメント表示領域７５の時間軸を目盛状に表示した時間軸目盛７７が設けられているとともに、当該時間軸目盛７７の右上方には、時間軸目盛７７のタイムスケールを拡大及び縮小するためのタイムスケール拡大ボタン７８Ａ及びタイムスケール縮小ボタン７８Ｂが設けられている。
【００５２】
図１１（Ａ）に示すように、セグメント７４は録音時において録音進捗バー７１に同期して右方向に伸びていく。
【００５３】
そして、自動マーキング機能が有効状態にある場合、図１１（Ｂ）に示すように分割点マーク７２が無音部分に応じて自動付加されてトラックが分割されると、最初のトラックを表すセグメント７４Ａの伸びが分割点マーク７２の位置で停止するとともに、当該セグメント７４Ａの一段下に、当該分割点マーク７２を起点として、次のトラックを表すセグメント７４Ｂが表示される。この新たなセグメント７４Ｂも、録音進捗バー７１に同期して右方向に伸びていく。
【００５４】
このように自動マーキング機能が有効状態にある場合、セグメント表示領域７５には録音の経過に応じて、自動分割されたトラックそれぞれを示すセグメント７４Ａ、７４Ｂ、…が順次階段状に表示されていく。また、自動マーキング機能が無効状態にある場合には、セグメント７４は自動分割されることなく、録音進捗バー７１に同期して伸びていく。
【００５５】
この録音状態において録音編集画面６０（図９）には、録音開始ボタン６１の代わりに録音終了ボタン（図示せず）が表示される。そして、この録音終了ボタンがクリックされたことを確認すると、ＣＰＵ１１は録音を停止する。
【００５６】
この録音停止状態においてユーザは、トラックパネル７０（図１０）上で分割点マーク７２を移動することによりトラックの分割位置を変更したり、新たな分割点マーク７２を付加することによりトラックを再分割したり、分割点マーク７２を消去することにより連続した２つのトラックを結合する等の編集処理を行うことができる。
【００５７】
ここで、トラックパネル７０に分割点マーク７２が表示された状態においてはトラックの分割位置は確定されておらず、図１１（Ｃ）に示すように、各セグメント７４の端部は、その前後のセグメント７４とそれぞれつながった状態で表示される。この状態のセグメントを未分割セグメントと呼ぶ。
【００５８】
そして、録音編集画面６０の「次に進む」ボタン６５（図９）がクリックされたことを確認すると、ＣＰＵ１１はトラックの分割位置を確定する。すなわち図１２に示すように、トラックパネル７０には、分割が完了したセグメント７４が、その端部が前後のセグメント７４とつながらない状態で表示される。また、録音進捗バー７１及び分割点マーク７２は消去される。
【００５９】
また、分割点マーク７２が表示された状態（図１０）において、当該分割点マーク７２を右クリックすることよりポップアップメニュー（図示せず）を表示させ、当該ポップアップメニュー内で「分割する」メニューを選択することにより、各分割位置を個別に確定することもできる。この場合トラックパネル７０には分割が完了したセグメントと未分割セグメントとが混在した状態で表示される。
【００６０】
この状態においてユーザは各セグメント７４を上下（矢印方向）に移動させることにより、各トラックの順序を変更することができる。すなわち、あるセグメント７４を上に一段移動させると、当該セグメント７４が示すトラックの順序が一つ繰り上がり、あるセグメント７４を下に一段移動させると、当該セグメント７４が示すトラックの順序が一つ繰り下がる。
【００６１】
このようにしてトラックの順序が変更された後、録音編集画面６０の出力ボタン６６（図９）がクリックされたことを確認すると（図６のステップＳＰ８）、ＣＰＵ１１は編集処理結果を確定して次のステップＳＰ９に移る。
【００６２】
ステップＳＰ９においてＣＰＵ１１は、図１３に示す出力選択画面８０をモニタ３に表示する。この出力先選択画面８０の中央には、編集したトラックの出力先としてＣＤ−ＲＷドライブ２０を選択するためのＣＤ−ＲＷドライブ選択ボタン８１Ａと、トラックの出力先としてハードディスクドライブ１９を選択するためのハードディスクドライブ選択ボタン８１Ｂとの２つの出力先選択ボタン８１が表示されているとともに、その右側には、選択した出力先を確定して出力を開始するための開始ボタン８２が表示されている。
【００６３】
ＣＰＵ１１は、次のステップＳＰ１０においてユーザによる出力先選択操作を待ち受け、出力先選択ボタン８２Ａ又は８２Ｂのいずれかが選択された後、開始ボタン８２がクリックされたことを確認すると、次のステップＳＰ１１に移る。
【００６４】
ステップＳＰ１１においてＣＰＵ１１は、選択された出力先に対してトラックに対応した音声データファイルＭｆを出力し、次のステップＳＰ１２で録音編集管理処理を終了する。
【００６５】
なお、ＣＰＵ１１は、トラックの出力先としてハードディスクドライブ１９が選択された場合は、音声データファイルＭｆをＷｉｎｄｏｗｓ（Ｒ）標準のオーディオの録音／再生機能及びそのためのデータフォーマットであるＷＡＶＥ形式ファイルに変換して出力し、トラックの出力先としてＣＤ−ＲＷドライブ２０が選択された場合は、音声データファイルＭｆをＣＤ−ＲあるいはＣＤ−ＲＷに録音するためのデータフォーマットに変換した後出力するようになされている。
【００６６】
（３）録音編集画面の詳細な説明
上述したように録音編集画面６０のトラックパネル７０（図１０）には、分割されたトラックそれぞれの演奏時間長および順序を視覚的に表すトラック表示子としてのセグメント７４が、表示子表示領域としてのセグメント表示領域７５に表示される。
【００６７】
セグメント表示領域７５においては、第２の座標軸としての横軸方向は、音声データの時間軸に対応しており、当該セグメント表示領域７５の左側から右側に向かって時間が増加するように定義されている。そして各セグメント７４は、対応するトラックの開始時間に相当する位置にその左端が表示され、対応するトラックの終了時間に相当する位置にその右端が表示される。これにより各セグメント７４の長さは、当該セグメント７４に対応するトラックの演奏時間を表す。
【００６８】
またセグメント表示領域７５においては、第１の座標軸としての縦軸方向は、セグメント７４のトラック番号に対応しており、当該セグメント表示領域７５の上側から下側に向かってトラック番号が増加するように定義されている。
【００６９】
このためセグメント表示領域７５においては、トラック番号１のセグメント７４は常に当該セグメント表示領域７５の左上端部に表示され、これに続いて、トラック番号２、３、……のセグメント７４が順次左下がりの階段状に表示されていく。これによりトラックパネル７０においては、各トラックの順序を、セグメント表示領域７５に表示された各セグメント７４の上下関係及び左右関係を通じて、ユーザに対して直感的に通知し得るようになされている。
【００７０】
またセグメント表示領域７５においては、分割が確定したセグメント（以下、これを分割セグメントと呼ぶ）と、未分割セグメントとが混在して表示される。そしてセグメント表示領域７５においては、分割セグメントと未分割セグメントとを異なる色（例えば分割セグメントは緑色、未分割セグメントは青色）で表示することにより、セグメントの分割／未分割状態をユーザに対して直感的に通知し得るようになされている。
【００７１】
さらにセグメント表示領域７５においては、所定の時間長（例えば１秒）以下のセグメントの色を、他のセグメントとは異なる色（例えば赤色）で表示することにより、極端に短いトラックの存在をユーザに強調するようになされている。
【００７２】
またセグメント表示領域７５においては、各セグメント７４を右クリックすることにより表示されるポップアップメニュー（図示せず）上で、当該セグメント７４が対応するトラックに対して、トラックの音量を個別に調整するノーマライズ処理やノイズ除去処理等の、各種音声処理の実行を指定することができる。そしてセグメント表示領域７５においては、これらの音声処理が施されたトラックのに対応するセグメントの色を他のセグメントとは異なる色で表示することにより、各種音声処理が施されたトラックの存在をユーザに強調するようになされている。
【００７３】
さらにトラックパネル７０のセグメント表示領域７５においては、セグメント７４を上下にドラッグアンドドロップすることにより、当該セグメント７４に対応するトラックの順序を変更することができる。
【００７４】
ここで、上述したようにトラックパネル７０においては、分割セグメントと未分割セグメントとが混在して表示される。そして、移動元及び移動先のセグメントがともに分割セグメントである場合、当該移動元及び移動先のセグメントはそれぞれ独立して移動するのに対し、移動元あるいは移動先のセグメントが未分割セグメントである場合、当該未分割セグメントはその前後の未分割セグメントと一体となって移動する。
【００７５】
まず、移動元及び移動先のセグメントがともに分割セグメントである場合におけるセグメント移動の様子を、図１４を用いて説明する。
【００７６】
図１４（Ａ）において、トラックパネル７０のセグメント表示領域７５には、６つの分割セグメント９０Ａ〜９０Ｆが順に表示されている。この状態において、第２トラックに配置されている分割セグメント９０Ｂを、分割セグメント９０Ｅが配置されている第５トラックの位置までドラッグアンドドロップしたとする。
【００７７】
この場合、移動元（分割セグメント９０Ｂ）及び移動先（分割セグメント９０Ｅ）がともに分割セグメントであることから、当該移動元及び移動先のセグメントはそれぞれ独立して移動する。すなわち図１４（Ｂ）に示すように、移動元の分割セグメント９０Ｂが移動先の分割セグメント９０Ｅの次トラック（すなわち右下）に移動するとともに、分割セグメント９０Ｃ、９０Ｄ、９０Ｅ及び９０Ｂが前詰め（すなわち左上）に移動する。
【００７８】
かくして移動元の分割セグメント９０Ｂは、ドラッグアンドドロップ先の第５トラックに移動する。
【００７９】
次に、移動元のセグメントが分割セグメントであり、移動先のセグメントが未分割セグメントである場合におけるセグメント移動の様子を、図１５を用いて説明する。
【００８０】
図１５（Ａ）において、トラックパネル７０のセグメント表示領域７５には、分割セグメント９０Ａ、９０Ｂ及び９０Ｃ、未分割セグメント９１Ｄ、９１Ｅ及び９１Ｆが順に表示されている。この状態において、第２トラックに配置されている分割セグメント９０Ｂを、未分割セグメント９１Ｅが配置されている第５トラックの位置までドラッグアンドドロップしたとする。
【００８１】
この場合、移動先の未分割セグメント９１Ｅは、その前後の未分割セグメント９１Ｄ及び９１Ｆとともに未分割セグメント群９２Ａとして一体となって移動する。すなわち図１５（Ｂ）に示すように、移動元の分割セグメント９０Ｂが、移動先の未分割セグメント９１Ｅを含む未分割セグメント群９２Ａの次トラック（すなわち当該未分割セグメント群９２Ａの最後尾である未分割セグメント９１Ｆの右下）に移動するとともに、分割セグメント９０Ｃ、未分割セグメント群９２Ａ及び分割セグメント９０Ｂが前詰めに移動する。
【００８２】
かくして移動元の分割セグメント９０Ｂは、ドラッグアンドドロップされた第５トラックよりも１トラック後の第６トラックに移動する。
【００８３】
次に、移動元のセグメントが未分割セグメントであり、移動先のセグメントが分割セグメントである場合におけるセグメント移動の様子を、図１６を用いて説明する。
【００８４】
図１６（Ａ）において、トラックパネル７０のセグメント表示領域７５には、未分割セグメント９１Ａ、９１Ｂ及び９１Ｃ、分割セグメント９０Ｄ、９０Ｅ及び９０Ｆが順に表示されている。この状態において、第２トラックに配置されている未分割セグメント９１Ｂを、分割セグメント９０Ｅが配置されている第５トラックの位置までドラッグアンドドロップしたとする。
【００８５】
この場合、移動元の未分割セグメント９１Ｂは、その前後の未分割セグメント９１Ａ及び９１Ｃとともに未分割セグメント群９２Ａとして一体となって移動する。すなわち図１６（Ｂ）に示すように、移動元の未分割セグメント９１Ｂを含む未分割セグメント群９２Ａが、移動先の分割セグメント９０Ｅの次トラックに移動するとともに、分割セグメント９０Ｄ及び９０Ｅ並びに未分割セグメント群９２Ａが前詰めに移動する。かくして移動元の分割セグメント９０Ｂは、ドラッグアンドドロップされた第５トラックよりも１トラック前の第４トラックに移動する。
【００８６】
更に、移動元及び移動先のセグメントがともに未分割セグメントである場合におけるセグメント移動の様子を、図１７を用いて説明する。
【００８７】
図１７（Ａ）において、トラックパネル７０のセグメント表示領域７５には、未分割セグメント９１Ａ及び９１Ｂ、分割セグメント９０Ｃ、未分割セグメント９１Ｄ、９１Ｅ及び９０Ｆが順に表示されている。この状態において、第２トラックに配置されている未分割セグメント９１Ｂを、未分割セグメント９１Ｅが配置されている第５トラックの位置までドラッグアンドドロップしたとする。
【００８８】
この場合、移動元の未分割セグメント９１Ｂは、その前の未分割セグメント９１Ａとともに未分割セグメント群９２Ａとして一体となって移動するとともに、移動先の未分割セグメント９１Ｅは、その前後の未分割セグメント９１Ｄ及び９１Ｆとともに未分割セグメント群９２Ｂとして一体となって移動する。
【００８９】
すなわち図１７（Ｂ）に示すように、移動元の未分割セグメント９１Ｂを含む未分割セグメント群９２Ａが、移動先の未分割セグメント９１Ｅを含む未分割セグメント群９２Ｂの次トラック（すなわち当該未分割セグメント群９２Ｂの最後尾である未分割セグメント９１Ｆの右下）に移動するとともに、分割セグメント９１Ｃ、未分割セグメント群９２Ｂ及び９２Ａが前詰めに移動する。
【００９０】
かくして移動元の分割セグメント９０Ｂは、ドラッグアンドドロップされた第５トラックよりも１トラック後の第６トラックに移動する。
【００９１】
このようにしてトラックパネル７０においては、連続する未分割セグメントを未分割セグメント群として一体で移動することにより、未分割セグメントの連続性を保ったまま、トラックの順序を変更し得るようになされている。
【００９２】
次に、上述したトラックパネル７０におけるセグメントの移動表示処理手順を、図１８に示すフローチャートを用いて詳細に説明する。表示領域表示手段及びトラック表示子表示手段としての、パーソナルコンピュータ１のＣＰＵ１１は、セグメント移動表示処理手順ＲＴ２の開始ステップから入ってステップＳＰ２１に移る。
【００９３】
ステップＳＰ２１においてＣＰＵ１１は、トラックパネル７０に表示されたセグメントに対するドラッグアンドドロップを待ち受け、当該セグメントがユーザによってドラッグアンドドロップされたことを検出すると、次のステップＳＰ２２に移る。
【００９４】
ステップＳＰ２２においてＣＰＵ１１は、ドラッグアンドドロップされた移動元のセグメントが分割セグメントであるか否かを判断する。ステップＳＰ２２において肯定結果が得られた場合、このことは移動元のセグメントが分割セグメントであることを表しており、このときＣＰＵ１１はステップＳＰ２３に移る。
【００９５】
ステップＳＰ２３においてＣＰＵ１１は、ドラッグアンドドロップされた移動先のセグメントが分割セグメントであるか否かを判断する。ステップＳＰ２３において肯定結果が得られた場合、このことは移動元及び移動先のセグメントが共に分割セグメントであることを表しており、このときＣＰＵ１１はステップＳＰ２４に移り、移動元及び移動先のセグメントをそれぞれ独立で移動表示した後、ステップＳＰ２１に戻る。
【００９６】
これに対してステップＳＰ２３において否定結果が得られた場合、このことは移動元のセグメントが分割セグメントであるとともに移動先のセグメントが未分割セグメントであることを表しており、このときＣＰＵ１１はステップＳＰ２５に移り、移動先のセグメントを含む未分割セグメント群を一体で移動表示した後、ステップＳＰ２１に戻る。
【００９７】
一方、ステップＳＰ２２において否定結果が得られた場合、このことは移動元のセグメントが未分割セグメントであることを表しており、このときＣＰＵ１１はステップＳＰ２６に移る。
【００９８】
ステップＳＰ２６においてＣＰＵ１１は、ドラッグアンドドロップされた移動先のセグメントが分割セグメントであるか否かを判断する。ステップＳＰ２６において肯定結果が得られた場合、このことは移動元のセグメントが未分割セグメントであるとともに移動先のセグメントが分割セグメントであることを表しており、このときＣＰＵ１１はステップＳＰ２７に移り、移動元のセグメントを含む未分割セグメント群を一体で移動表示した後、ステップＳＰ２１に戻る。
【００９９】
これに対してステップＳＰ２６において否定結果が得られた場合、このことは移動元及び移動先のセグメントが共に未分割セグメントであることを表しており、このときＣＰＵ１１はステップＳＰ２８に移り、移動元のセグメントを含む未分割セグメント群及び移動先のセグメントを含む未分割セグメント群をそれぞれ一体で移動表示した後、ステップＳＰ２１に戻る。
【０１００】
ＣＰＵ１１は上述した処理を、トラックパネル７０の表示中において常時実行する。
【０１０１】
かかる構成に加えてトラックパネル７０においては、各セグメントの前端を左方向及び右方向にドラッグアンドドロップすることにより、連続する２つのトラック間におけるクロスフェード処理の設定及び解除を行い得るようになされている。
【０１０２】
ここでクロスフェード処理とは、前のトラックの終了部分に対して所定のフェード期間Ｔｆだけフェードアウト処理を施すとともに、後のトラックの開始部分に対してフェード期間Ｔｆだけフェードイン処理を施し、さらに前のトラックのフェードアウト部分と後のトラックのフェードイン部分とをオーバーラップさせることにより、前後のトラックの音声を徐々に混じり合わせながら切り替えていく処理である。
【０１０３】
すなわち図１９（Ａ）に示すように、連続する２つのトラックを表す２つのセグメント９５Ａ及び９５Ｂが存在する状態において、後のセグメント９５Ｂのセグメント前端部９５Ｂ１を、左方向（すなわち前のセグメントに重ねる方向）にドラッグアンドドロップすると、ＣＰＵ１１はこの２つのセグメント９５Ａ及び９５Ｂに対応する２つのトラックに対して、上述したクロスフェード処理を施す。
【０１０４】
そしてＣＰＵ１１は、図１９（Ｂ）に示すように、後のセグメント９５Ｂ全体をフェード期間Ｔｆだけ前に移動させて前のセグメント９５Ａにオーバーラップさせるとともに、前のセグメント９５Ａの後端部及び後のセグメント９５Ａの前端部をそれぞれ斜めに表示することにより、当該セグメント９５Ａ及び９５Ｂ間に施されたクロスフェード処理を視覚的にユーザに通知する。
【０１０５】
また図１９（Ｃ）に示すように、連続する２つのトラック間でクロスフェード処理が設定された状態において、後のセグメント９５Ｂのセグメント前端部９５Ｂ１を、右方向（すなわち前のセグメントから離す方向）にドラッグアンドドロップすると、ＣＰＵ１１はこの２つのセグメント９５Ａ及び９５Ｂに対応する２つのトラックに対するクロスフェード処理を解除する。
【０１０６】
そしてＣＰＵ１１は、図１９（Ｄ）に示すように、後のセグメント９５Ｂ全体をフェード期間Ｔｆだけ後ろに移動させるとともに、前のセグメント９５Ａの後端部及び後のセグメント９５Ａの前端部をそれぞれ垂直に戻して表示することにより、当該セグメント９５Ａ及び９５Ｂ間に施されたクロスフェード処理が解除されたことを視覚的にユーザに通知する。
【０１０７】
次に、上述したトラックパネル７０におけるクロスフェード処理手順を、図２０に示すフローチャートを用いて詳細に説明する。パーソナルコンピュータ１のＣＰＵ１１は、クロスフェード処理手順ＲＴ３の開始ステップから入ってステップＳＰ３１に移る。
【０１０８】
ステップＳＰ３１においてＣＰＵ１１は、トラックパネル７０に表示されたセグメントの前端部に対するドラッグアンドドロップ操作を待ち受け、当該セグメントの前端部がユーザによってドラッグアンドドロップ操作されたことを検出すると、次のステップＳＰ３２に移る。
【０１０９】
ステップＳＰ３２においてＣＰＵ１１は、当該ドラッグアンドドロップ操作の操作方向を判定する。ステップＳＰ３２において、当該ドラッグアンドドロップ操作の操作方向が左方向であると判定した場合、ＣＰＵ１１はステップＳＰ３３に移る。
【０１１０】
ステップＳＰ３３においてＣＰＵ１１は、当該ドラッグアンドドロップ操作されたセグメントの左方向、すなわち前トラックに他のセグメントが存在するか否かを判定する。ステップＳＰ３３において肯定結果が得られた場合、このことは当該ドラッグアンドドロップ操作がクロスフェード処理の設定操作であることを表しており、このときＣＰＵ１１はステップＳＰ３４に移り、連続する２つのトラックに対してクロスフェード処理を実行し、ステップＳＰ３１に戻る。
【０１１１】
これに対してステップＳＰ３３において否定結果が得られた場合、ＣＰＵ１１はクロスフェード処理を実行することなくステップＳＰ３１に戻る。
【０１１２】
一方、ステップＳＰ３２において、当該ドラッグアンドドロップ操作の操作方向が右方向であると判定した場合、ＣＰＵ１１はステップＳＰ３５に移る。
【０１１３】
ステップＳＰ３５においてＣＰＵ１１は、当該ドラッグアンドドロップ操作されたセグメントに対してクロスフェード処理が設定されているか否かを判定する。ステップＳＰ３５において、当該セグメントに対してクロスフェード処理が設定されている場合、このことは当該ドラッグアンドドロップ操作がクロスフェード処理の解除操作であることを表しており、このときＣＰＵ１１はステップＳＰ３６に移り、連続する２つのトラックに対するクロスフェード処理を解除し、ステップＳＰ３１に戻る。
【０１１４】
これに対してステップＳＰ３５において否定結果が得られた場合、ＣＰＵ１１はクロスフェードの解除を実行することなくステップＳＰ３１に戻る。
【０１１５】
ＣＰＵ１１は上述した処理を、トラックパネル７０の表示中において常時実行する。
【０１１６】
（４）動作及び効果
以上の構成において、パーソナルコンピュータ１は、音声データを自動あるいは手動で分割した結果の各トラックに対応するセグメント７４を、録音編集画面６０のトラックパネル７０におけるセグメント表示領域７５に表示する。
【０１１７】
このときパーソナルコンピュータ１は、セグメント表示領域７５の横軸を、左側から右側に向かって時間が増加する時間軸として定義するとともに、当該セグメント表示領域７５の縦軸を、上側から下側に向かってトラック番号が増加するように定義し、これら２つの表示定義に従って各トラックのセグメントを表示する。これによりパーソナルコンピュータ１は、対応するトラックの演奏時間に応じた横方向の長さを有するセグメントを、トラック番号順に順次左下がりの階段状に表示する。
【０１１８】
このためパーソナルコンピュータ１は、セグメントの位置関係及び長さを通じて、各トラックの順序及び演奏時間をユーザに対し直感的に通知することができる。
【０１１９】
またパーソナルコンピュータ１は、分割が確定した分割セグメントと、分割が確定していない未分割セグメントとを異なる表示色で表示することにより、セグメントの分割／未分割状態をユーザに対し直感的に通知するとともに、未分割セグメントの端部を他の未分割セグメントとつながった状態で表示することにより、未分割セグメントの連続関係を直感的に通知することができる。
【０１２０】
さらにパーソナルコンピュータ１は、ノーマライズ処理やノイズ除去処理等の各種音声処理が施されたトラックに対応するセグメントや、極端に短いトラックに対応するセグメントを異なる表示色で表示することにより、これらのトラックの存在を、表示色を通じてユーザに対して直感的に通知することができる。
【０１２１】
またパーソナルコンピュータ１は、セグメントに対する上下方向のドラッグアンドドロップ操作に応じてセグメントを移動してトラックの順序を変更することにより、ユーザに対し、直感的な操作で容易にトラックの順序を変更させることができる。
【０１２２】
このときパーソナルコンピュータ１は、移動元又は移動先のセグメントが未分割セグメントである場合、当該未分割セグメント及びその前後該未分割セグメントを、未分割セグメント群として一体で移動することにより、未分割セグメントの連続性を保ったまま、トラックの順序を変更することができる。
【０１２３】
またパーソナルコンピュータ１は、セグメントの前端部に対する左又は右方向にドラッグアンドドロップ操作に応じて、連続する２つのトラック間におけるクロスフェード処理の設定及び解除を行うようにしたことにより、ユーザに対し、直感的な操作で容易にクロスフェード処理の設定及び解除を行わせることができる。
【０１２４】
（５）他の実施の形態
なお上述の実施の形態においては、音声データを編集するための録音編集管理プログラムに本発明を適用した場合について述べたが、本発明はこれに限らず、映像データを編集するための映像編集管理プログラムに本発明を適用することもできる。
【０１２５】
また上述の実施の形態においては、セグメント表示領域の横軸方向を音声データの時間軸に対応させるとともに、これに直交する縦軸方向をトラック番号に対応させるようにしたが、本発明はこれに限らず、セグメント表示領域の縦軸方向を音声データの時間軸に対応させるとともに、横軸方向をトラック番号に対応させるようにしてもよい。
【０１２６】
さらに上述の実施の形態においては、ハードディスクドライブ１９に予め格納された録音編集管理プログラムをパーソナルコンピュータ１のＣＰＵ１１が読み出して実行することにより、上述のセグメント移動表示処理手順及びクロスフェード処理を実行するようにしたが、本発明はこれに限らず、録音編集管理プログラムが格納されたプログラム格納媒体をパソコン本体２にインストールすることにより、これらの処理手順を実行するようにしてもよい。
【０１２７】
【発明の効果】
上述のように本発明によれば、トラック表示子を、トラック表示子表示領域の第１の座標軸におけるトラック番号に対応する位置に、第２の座標軸におけるトラックの開始時間から終了時間に対応する範囲で表示するようにしたことにより、トラック表示子の位置関係及び長さを通じて、各トラックの順序及び演奏時間をユーザに対し直感的に通知することができる。
【０１２８】
また、トラック表示子に対する第１の座標軸方向の移動操作に応じて、当該トラック表示子に対応するトラックのトラック番号を変更するとともにトラックの順序を変更し、さらにトラック表示子を当該変更されたトラック番号及び順序に応じた位置に移動して表示するようにしたことにより、ユーザに対し、直感的な操作で容易にトラックの順序を変更させることができる。
【図面の簡単な説明】
【図１】パーソナルコンピュータの全体構成を示す略線図である。
【図２】パソコン本体の構成を示すブロック図である。
【図３】録音編集管理プログラムの構成を示すブロック図である。
【図４】プロジェクトファイルの記述例である。
【図５】プロジェクトファイルで用いられるタグを示す表である。
【図６】録音編集管理処理手順を示すフローチャートである。
【図７】オープニング画面を示す略線図である。
【図８】入力選択画面を示す略線図である。
【図９】録音編集画面を示す略線図である。
【図１０】トラックパネルの構成を示す略線図である。
【図１１】トラックの分割の様子を示す略線図である。
【図１２】分割位置確定後のトラックパネルを示す略線図である。
【図１３】出力選択画面を示す略線図である。
【図１４】移動元及び移動先が共に分割セグメントの場合の移動状態を示す略線図である。
【図１５】移動先が未分割セグメントの場合の移動状態を示す略線図である。
【図１６】移動元が未分割セグメントの場合の移動状態を示す略線図である。
【図１７】移動元及び移動先が共に未分割セグメントの場合の移動状態を示す略線図である。
【図１８】セグメント移動処理手順を示すフローチャートである。
【図１９】クロスフェード操作の様子を示す略線図である。
【図２０】クロスフェード処理手順を示すフローチャートである。
【符号の説明】
１……パーソナルコンピュータ、２……パソコン本体、３……モニタ、４……キーボード、５……マウス、６……マイクロホン、７……ライン入力ケーブル、８……スピーカ、９……ＵＳＢオーディオデバイス、１０……モデム、１１……ＣＰＵ、１２……メモリ、１７……オーディオインターフェース、１８……ＵＳＢインターフェース、１９……ハードディスクドライブ、２０……ＣＤ−ＲＷドライブ。
【図１】
2004318964.tif 000003
【図２】
2004318964.tif 000004
【図３】
2004318964.tif 000005
【図４】
2004318964.tif 000006
【図５】
2004318964.tif 000007
【図６】
2004318964.tif 000008
【図７】
2004318964.tif 000009
【図８】
2004318964.tif 000010
【図９】
2004318964.tif 000011
【図１０】
2004318964.tif 000012
【図１１】
2004318964.tif 000013
【図１２】
2004318964.tif 000014
【図１３】
2004318964.tif 000015
【図１４】
2004318964.tif 000016
【図１５】
2004318964.tif 000017
【図１６】
2004318964.tif 000018
【図１７】
2004318964.tif 000019
【図１８】
2004318964.tif 000020
【図１９】
2004318964.tif 000021
【図２０】
2004318964.tif 000022